(57)【特許請求の範囲】
【請求項１】
板状に形成され直線状に形成された天板曲げ部を有し前記天板曲げ部を支点に２つに折り曲げ可能な天板と、
板状に形成され相互に対向して配置されて前記天板を支持する２枚の支持板と、
前記天板における前記天板曲げ部の裏面側に設けられた操作部材と、を備え、
前記天板は、前記天板曲げ部に対して一方側の領域の縁部が２枚の前記支持板のうち一方の前記支持板の上端部に接続され、前記天板曲げ部に対して他方側の領域の端部が２つの前記支持板のうち他方の前記支持板の上端部に接続され、
各前記支持板は、前記天板曲げ部の両端部側に設けられており前記支持板を相互に接続する接続部と、前記接続部に沿って形成された第１曲げ部と、を有し、
前記操作部材が前記天板側へ押し込まれる力を受けると前記天板が押し広げられて開くと共に２枚の前記支持板が前記第１曲げ部を支点に折り曲げられて２枚の前記支持板が相互に離間する方向へ開いた開状態となることにより前記天板が平坦なテーブル面を形成し、前記操作部材が前記天板側とは反対方向へ引っ張られる力を受けると前記天板が折り曲げられて閉じると共に２枚の前記支持板が前記第１曲げ部を支点にした折り曲げが解消されて相互に近接する方向へ閉じた閉状態となることにより前記天板が折り畳まれる、
折り畳みテーブル。
【請求項２】
前記支持板は、折り曲げ可能に設けられた底面部を一体に有しており、
２枚の前記支持板において、各底面部は相互に折り曲げ可能に接続されると共に、２枚の前記支持板が開状態の場合に上方へ突出した湾曲状になるように形成され、
前記操作部材は、前記底面部を貫いて下方へ突出していると共に、前記底面部の内側面に係止する係止部を有している、
請求項１に記載の折り畳みテーブル。
【請求項３】
各前記支持板は、それぞれ前記支持板の上端部から下端部に亘ってＳ字状に湾曲するように形成された２つの第２曲げ部を有し、前記開状態となった場合に前記第２曲げ部を支点に折り曲げられる、
請求項１又は２に記載の折り畳みテーブル。
【請求項４】
各前記支持板は、前記第２曲げ部の下端部に設けられた足部を有している、
請求項３に記載の折り畳みテーブル。
【発明の詳細な説明】
【技術分野】
【０００１】
本発明の実施形態は、折り畳みテーブルに関する。
【背景技術】
【０００２】
従来、折り畳みテーブルは、例えば金属製のパイプを折り曲げて形成されたフレームと、２つに折り畳み可能な天板と、を備えたものが公知である。例えば引用文献１に開示された折り畳みテーブルは、２つに折り畳み可能な天板の裏面側に、２つのフレームが接続されている。２つのフレームは、天板との接続部分において相互に離接する方向へ回動可能となっている。この２つのフレームを回動させて開くと、フレームの移動に伴って天板が開いてテーブル面が形成される。これにより、折り畳みテーブルは、テーブルとしての機能を発揮する。また、２つのフレームを回動させて閉じると、フレームの移動に伴って天板も折り畳まれる。
【０００３】
しかしながら、このような従来構成の折り畳みテーブルでは、折り畳んだ状態でもなお、フレーム自体の厚みは残る。そのため、このような折り畳みテーブルは、折り畳んで状態であっても収納したり携帯したりする際にかさばるため、収納性や携帯性に関して改善の余地があった。
【先行技術文献】
【特許文献】
【０００４】
【特許文献１】特開２００２−２２３８６１号公報
【発明の概要】
【発明が解決しようとする課題】
【０００５】
そこで、収納性や携帯性の向上を図った折り畳みテーブルを提供する。
【課題を解決するための手段】
【０００６】
実施形態の折り畳みテーブルは、板状に形成され直線状に形成された天板曲げ部を有し前記天板曲げ部を支点に２つに折り曲げ可能な天板と、板状に形成され相互に対向して配置されて前記天板を支持する２枚の支持板と、前記天板における前記天板曲げ部の裏面側に設けられた操作部材と、を備える。前記天板は、前記天板曲げ部に対して一方側の領域の縁部が２枚の前記支持板のうち一方の前記支持板の上端部に接続され、前記天板曲げ部に対して他方側の領域の端部が２つの前記支持板のうち他方の前記支持板の上端部に接続され、各前記支持板は、前記天板曲げ部の両端部側に設けられており前記支持板を相互に接続する接続部と、前記接続部に沿って形成された第１曲げ部と、を有する。前記操作部材が前記天板側へ押し込まれる力を受けると前記天板が押し広げられて開くと共に２枚の前記支持板が前記第１曲げ部を支点に折り曲げられて２枚の前記支持板が相互に離間する方向へ開いた開状態となることにより前記天板が平坦なテーブル面を形成する。前記操作部材が前記天板側とは反対方向へ引っ張られる力を受けると前記天板が折り曲げられて閉じると共に２枚の前記支持板が前記第１曲げ部を支点にした折り曲げが解消されて相互に近接する方向へ閉じた閉状態となることにより前記天板が折り畳まれる。
【図面の簡単な説明】
【０００７】
【図１】一実施形態による開状態の折り畳みテーブルについて、天板側から見た状態を示す斜視図
【図２】一実施形態による閉状態の折り畳みテーブルについて、天板側から見た状態を示す斜視図
【図３】一実施形態による開状態の折り畳みテーブルについて、底面部側から見た状態を示す斜視図
【図４】一実施形態による閉状態の折り畳みテーブルについて、底面部側から見た状態を示す斜視図
【図５】一実施形態による開状態の折り畳みテーブルについて、図１の紙面手前側の支持板を透過させて内部を示す斜視図
【図６】一実施形態による開状態の折り畳みテーブルについて、図３の紙面手前側の支持板を透過させて内部を示す斜視図
【図７】一実施形態による開状態の折り畳みテーブルを示す正面図
【図８】一実施形態による開状態の折り畳みテーブルを示す平面図
【図９】一実施形態による開状態の折り畳みテーブルを示す底面図
【図１０】一実施形態による開状態の折り畳みテーブルを示す右側面図
【図１１】一実施形態による閉状態の折り畳みテーブルを示す正面図
【図１２】一実施形態による折り畳みテーブルについて、天板を示す平面図
【図１３】一実施形態による折り畳みテーブルについて、支持板を示す正面図
【図１４】一実施形態による折り畳みテーブルについて、操作部材を示す正面図
【図１５】一実施形態による折り畳みテーブルについて、操作部材を示す右側面図
【発明を実施するための形態】
【０００８】
一実施形態による折り畳みテーブルについて、図面を参照しながら説明する。折り畳みテーブル１０は、図１に示す開状態つまり使用状態と、図２に示す閉状態つまり折り畳み状態とに相互に切替可能に構成されている。折り畳みテーブル１０は、図１等に示す開状態となることでテーブルとしての機能を発揮し、図２等に示す閉状態となることで全体として板状に折り畳まれる。なお、折り畳みテーブル１０の開状態を示す左側面図は、図１０に示す右側面図と同一であるため省略している。
【０００９】
また、以下の説明においては、折り畳みテーブル１０を、単にテーブル１０と称する。また、以下の説明において、テーブル１０の前後、左右、及び上下は、必要に応じて各図に矢印で示している。使用者は、開状態のテーブル１０の下端部を設置面である地面や床面に接触させて、テーブル１０を使用する。なお、図３、図４、及び図６は、テーブル１０を上下逆にして配置して示したものである。したがって、図３、図４、及び図６を参照する場合に限っては、他の図に対してテーブル１０の上下を逆にして説明する。
【００１０】
また、以下の説明において、山折りとは、各部材に形成された溝状の曲げ部を挟んで両側に位置する２つの表面部が、互いに離間する方向へ折れ曲がることをいう。また、谷折りとは、曲げ部を挟んで両側に位置する２つの表面部が、互いに接近する方向へ折れ曲がることをいう。この場合、表面部とは、テーブル１０の面のうち外側に露出している面をいう。
【００１１】
図１及び図２等に示すように、テーブル１０は、１枚の天板２０と、２枚の支持板３０と、１つの操作部材４０と、を備えている。天板２０は、例えばポリプロピレン等の樹脂材料の成型品であって、図１２に示すように１枚の板状に構成されている。天板２０は、２つに折り曲げ可能に構成されている。天板２０の上面つまり外側面は、図１に示すテーブル１０の開状態において、平坦なテーブル面を形成する。使用者は、テーブル１０を使用する際、図１に示すようにテーブル１０を開状態にし、天板２０上に物を載置する。
【００１２】
図１、図８、及び図１２等に示すように、天板２０は、全体として扁平した楕円形状、いわゆるラグビーボールの断面形状に形成されている。図１２に示すように、天板２０は、天板２０の長辺Ａ及び短辺Ｂに対して対称形に形成されている。天板２０は、２つの天板曲げ部２１を有している。２つの天板曲げ部２１は、天板２０の外側面又は内側面に形成された谷折りの溝部であり、天板２０の長辺Ａ方向に沿って平行な直線状に形成されている。２つの天板曲げ部２１は、天板２０の中心Ｏに対して所定の間隔すなわち幅Ｌを空けて配置されている。天板２０は、天板曲げ部２１を支点に谷折りに折れ曲がることで、２つに折り曲げ可能に構成されている。
【００１３】
この場合、天板２０は、２つの第１天板領域２０１と、１つの第２天板領域２０２と、を有している。すなわち、天板曲げ部２１は、第１天板領域２０１と第２天板領域２０２との境界を形成している。第１天板領域２０１は、天板曲げ部２１に対し、短辺Ｂ方向における外側の領域である。第２天板領域２０２は、２つの天板曲げ部２１によって挟まれた中心Ｏを含む領域である。
【００１４】
また、天板２０は、複数の穴部２２１、２２２を有している。各穴部２２１、２２２は、天板２０の厚み方向へ円形に貫通して形成されている。各穴部２２１、２２２には、図１等に示すように、リベット等の締結具５０が挿入される。この場合、図１２に示すように、天板２０は、６個の第１天板穴部２２１と、４個の第２天板穴部２２２と、を有している。第１天板穴部２２１は、第１天板領域２０１において短辺Ｂの両端部側に設けられている。この場合、各第１天板領域２０１において３個の第１天板穴部２２１が、第１天板領域２０１の外形線に沿って円弧状に配置されている。また、第２天板穴部２２２は、第２天板領域２０２において長辺Ａの両端部側に２個ずつ設けられている。
【００１５】
２枚の支持板３０は、図１等に示すように、開状態で天板２０を支持するものであり、図９等に示すように、相互に対向して配置されている。支持板３０は、例えばポリプロピレン等の樹脂材料の成型品であって、図１３等に示すように全体として左右方向に長い略矩形の板状に形成されている。支持板３０は、左右対称に形成されている。支持板３０は、１つの側面部３１と、２つの接続部３２と、１つの上面部３３と、１つの底面部３４と、を一体に有している。
【００１６】
側面部３１は、図１等に示す開状態のテーブル１０において、テーブル１０の側面部分を構成する。本実施形態の場合、側面部３１は、全体として下方へ向かって狭くなるような略台形状に形成されている。図１３に示すように、側面部３１は、１つの第１側面領域３１１と、２つの第２側面領域３１２と、を有している。第１側面領域３１１は、側面部３１における左右方向の中央部分の領域である。第２側面領域３１２は、第１側面領域３１１に対して左右両側の領域である。図１等に示すように、テーブル１０を開状態で使用する際、各第２側面領域３１２の下端部が地面と接触する。
【００１７】
接続部３２は、支持板３０の左右両端部分つまり長手方向の両端部分に設けられている。すなわち、接続部３２は、側面部３１に対して左右方向の外側つまり第２側面領域３１２の左右方向の外側に設けられている。接続部３２は、上下方向に細長い略矩形状に形成されている。
【００１８】
上面部３３は、側面部３１における第１側面領域３１１の上側に設けられている。上面部３３は、天板２０の長辺Ａに平行な線で短辺Ｂ方向における天板２０の端部を切り取ったような扇状に形成されている。底面部３４は、第１側面領域３１１の下側に設けられている。底面部３４は、上側の辺つまり第１側面領域３１１との境界部分が円弧状に形成されており、下側の辺が直線状に形成されている。すなわち、底面部３４は、第１側面領域３１１との境界部分が円弧状となる略扇状に形成されている。
【００１９】
支持板３０は、複数の曲げ部、この場合、２つの第１曲げ部３５１と、２つの第２曲げ部３５２と、１つ第３曲げ部３５３と、１つの第４曲げ部３５４と、を有している。各曲げ部３５１〜３５４は、支持板３０の外側面又は内側面に形成された溝部である。支持板３０は、各曲げ部３５１〜３５４を支点にして山折り又は谷折り方向に折り曲げ可能となっている。
【００２０】
第１曲げ部３５１は、接続部３２の長手方向に沿って直線状に形成された谷折りの溝部である。第１曲げ部３５１は、側面部３１の第１側面領域３１１と接続部３２との境界を形成している。第２側面領域３１２は、第１曲げ部３５１を支点にして、接続部３２に対して谷折りに折り曲げ可能となっている。
【００２１】
第２曲げ部３５２は、Ｓ字又は逆向きのＳ字の曲線状に形成された山折りの溝部である。第２曲げ部３５２は、側面部３１の第１側面領域３１１と第２側面領域３１２との境界を形成している。第２曲げ部３５２は、第３曲げ部３５３の両端部から第４曲げ部３５４の両端部に亘って、上下方向へ向かって延びている。
【００２２】
本実施形態において、第２曲げ部３５２は、上下方向の途中部分で曲率が変化している。すなわち、第２曲げ部３５２は、第１側面領域３１１の上端部この場合第３曲げ部３５３の端部から、第１側面領域３１１における上下方向の途中部分にかけて、側面部３１の左右方向の内側へ向かってやや膨らむような円弧状に形成されている。その後、第２曲げ部３５２は、曲率が変化し、側面部３１の上下方向の途中部分から、第１側面領域３１１の下端部この場合第４曲げ部３５４の端部にかけて、側面図３１の左右方向の外側へ向かってやや膨らむような円弧状に形成されている。２つの第２曲げ部３５２間の距離は、上面部３３側が最小となり、底面部３４側が最大となっている。すなわち、２つの第２曲げ部３５２間の距離は、上側から下方へ行くにしたがって次第に広くなっている。
【００２３】
第３曲げ部３５３は、谷折りの溝部であって、天板２０の長辺Ａと平行となるような直線状に形成されている。第３曲げ部３５３は、側面部３１の第１側面領域３１１と、上面部３３との境界を形成している。上面部３３は、第３曲げ部３５３を支点にして、第１側面領域３１１に対して谷折りに折り曲げ可能となっている。
【００２４】
第４曲げ部３５４は、山折りの溝部であって、上側つまり天板２０側へ向かって突出するように湾曲した円弧状に形成されている。第４曲げ部３５４は、底面部３４と、側面部３１の第１側面領域３１１との境界を形成している。底面部３４は、第４曲げ部３５４を支点にして、第１側面領域３１１に対して山折りに折り曲げ可能となっている。２枚の支持板３０の底面部３４は、第４曲げ部３５４が円弧状に形成されていることにより、図５等に示すように開状態の場合に上方へ突出した湾曲状つまりアーチ状となる。
【００２５】
また、支持板３０は、複数の穴部３６１〜３６３を有している。各穴部３６１〜３６３は、支持板３０を厚み方向に円形に貫いて形成されている。各穴部３６１〜３６３には、リベット等の締結具５０が挿入される。この場合、支持板３０は、１０個の第１支持板穴部３６１と、３個の第２支持板穴部３６２と、４個の第３支持板穴部３６３と、を有している。
【００２６】
第１支持板穴部３６１は、接続部３２に設けられている。この場合、各接続部３２において５個の第１支持板穴部３６１が、接続部３２の長手方向に沿って直線上に設けられている。第２支持板穴部３６２は、上面部３３にあって、上面部３３の円弧状の外形線に沿って設けられている。そして、第３支持板穴部３６３は、底面部３４にあって、底面部３４の下端部付近においてこの底面部３４の下辺に沿って直線上に設けられている。
【００２７】
図１及び図２等に示すように、２枚の支持板３０は、相互に重ね合わせた状態で接続部３２の第１支持板穴部３６１に締結具５０が通されることによって、相互に接続されている。これにより、支持板３０の左右方向の両辺部が相互に接続されている。また、天板２０と支持板３０とは、天板２０に形成された第１天板穴部２２１と上面部３３に形成された第２支持板穴部３６２とに、締結具５０が通されることによって、相互に接続されている。
【００２８】
本実施形態の場合、テーブル１０は、図２及び図３等に示すように、連結部材３７を備えている。連結部材３７は、左右方向へ長いすなわち底面部３４の下辺に沿って長い矩形状に形成されている。２枚の支持板３０は、底面部３４部分において、連結部材３７を介して相互に接続されている。なお、２枚の支持板３０は、連結部材３７を介して一体に形成しても良い。すなわち、２枚の支持板３０と連結部材３７とを一体に形成しても良い。
【００２９】
連結部材３７は、図３及び図９等に示すように、２つの第５曲げ部３５５と、連通穴３７１と、を有している。第５曲げ部３５５は、連結部材３７の外側面又は内側面に形成された山折りの溝部である。２つの第５曲げ部３５５は、支持板３０の底面部３４の下辺部に沿って形成されている。２つの第５曲げ部３５５は、２つの天板曲げ部２１間の幅Ｌと同程度の幅を空けて配置されている。連通穴３７１は、連結部材３７の長手方向の中央部分に設けられた矩形の穴である。連通穴３７１には、操作部材４０が通されている。
【００３０】
また、２つの支持板３０は、図３及び図１３等に示すように、それぞれ２つの足部３８を有している。足部３８は、支持板３０と一体に形成されている。足部３８は、図１３等に示すように、第２側面領域３１２において、第２曲げ部３５２の下端部に設けられている。足部３８は、テーブル１０の閉状態において、左右方向の中央側へ延びている。そして、足部３８は、図１及び図３に示すように、テーブル１０の開状態において、前後方向つまり天板２０の長辺Ａ方向に交差する方向へ突出する。すなわち、足部３８は、テーブル１０の開状態において、第２曲げ部３５２の下端部よりも、テーブル１０の中央側に対して水平方向の外側へ突出している。
【００３１】
操作部材４０は、図５及び図６等に示すように、天板２０における天板曲げ部２１の裏面側、この場合、第２天板領域２０２の裏面側に設けられている。操作部材４０は、例えばポリプロピレン等の樹脂材料の成形品であって、図１４及び図１５等に示すように、板状の部材を逆向きの略Ｕ字状すなわち下方側が開放されたコ字状に折り曲げて構成されている。操作部材４０は、２つの主体部４１と、１つの中間部４２と、を一体に有している。２つの主体部４１は、図１５に示すように、相互に対向している。
【００３２】
主体部４１は、第１主体部４１１と第２主体部４１２とから構成されている。第１主体部４１１は、底辺が上側に位置する略三角形状に形成されている。第１主体部４１１の底辺つまり主体部４１の上辺部の長さ寸法は、天板２０の第２天板領域２０２の長手方向の寸法すなわち長辺Ａの寸法に略等しい。第２主体部４１２は、第１主体部４１１の左右方向の中心部から下方へ延びるように、上下方向へ長い矩形状に形成されている。
【００３３】
中間部４２は、２つの主体部４１間を接続している。中間部４２の幅寸法は、天板２０の第２天板領域２０２の幅Ｌに略等しい。そして、操作部材４０の中間部４２が天板２０の第１天板領域２０１の裏側面に接した状態で、締結具５０が操作部材４０の中間部４２及び天板２０の第２天板穴部２２２に通されることによって、操作部材４０は、天板２０の裏面側に取り付けられている。
【００３４】
また、操作部材４０は、図１４等に示すように、係止部４３及び取手部４４を一体に有している。係止部４３は、第１主体部４１１の左右両側部分から左右方向へ突出するように形成されている。係止部４３は、図５及び図６等に示すように、テーブル１０の内側において連通穴３７１の周囲に係止可能となっている。この場合、係止部４３は、連結部材３７を介して底面部３４に係止している。
【００３５】
取手部４４は、操作部材４０の下端部つまり第２主体部４１２の下側に設けられている。取手部４４は、操作部材４０を略矩形状に貫いて形成された取手穴部４４１を有している。使用者は、取手穴部４４１に手を入れることで、取手として使用することができる。取手部４４の外形は、連結部材３７の連通穴３７１の内径よりも小さい。これにより、取手部４４は、連通穴３７１に挿通可能となっている。この場合、使用者によって連結部材３７が上下方向へ操作された際に、第２主体部４１２の周囲が連通穴３７１の周囲に当る。これにより、連結部材３７の水平方向の移動つまり上下方向以外の方向への移動が規制される。このため、連通穴３７１は、操作部材４０の水平方向の移動つまり上下方向以外の方向への移動を規制する規制手段として機能する。これにより、操作部材４０の上下方向へのスムーズな押し引き操作が可能となっている。
【００３６】
この構成において、使用者は、次のようにして、図１に示す開状態のテーブル１０を、図２に示す閉状態に折り畳むことができる。すなわち、まず、使用者は、例えば図３に示すように、操作部材４０の取手部４４が上向きとなるようにテーブル１０の向きを上下逆に配置する。そして、使用者は、例えば一方の手で支持板３０の側面部３１付近を押えながら、他方の手で操作部材４０を引き上げる。すると、操作部材４０の上方への移動すなわち天板２０から離れる方向への移動に伴って、天板２０と操作部材４０との接続部分つまり第２天板領域２０２付近が上方へ引っ張られ、これにより天板２０が天板曲げ部２１を支点に２つに折り畳まれる。
【００３７】
そして、天板２０が折り畳まれる方向へ移動すると、天板２０の移動に伴って、天板２０と支持板３０との接続部分つまり上面部３３が天板２０の中心Ｏ側へ引っ張られる。また、その際、操作部材４０の係止部４３がテーブル１０の内側において連通穴３７１の周囲に係止しているため、操作部材４０の上方への移動に伴って、連結部材３７付近が上方へ引っ張られる。そして、側面部３１に対する上面部３３及び底面部３４の折り曲げ状態が解消されると共に、連結部材３７が第５曲げ部３５５を支点に山折りに折り曲げられる。その際、第１曲げ部３５１及び第２曲げ部３５２における曲げ状態も解消される。これにより、第５曲げ部３５５以外の各曲げ部３５１〜３５４における曲げ状態が解消され、２枚の支持板３０は略板状となって相互に接近する。このようにして、テーブル１０は折り畳まれる。
【００３８】
また、使用者は、上述した逆の手順で、図２に示す閉状態のテーブル１０を図１に示す閉状態に展開することができる。すなわち、使用者は、テーブル１０を展開する際、例えば図４の閉状態のテーブル１０に対し、２枚の支持板３０を相互に離間させつつ操作部材４０を天板２０側へ押し込む。すると、操作部材４０の移動に伴って天板２０が開き、これにより２枚の支持板３０間の距離が更に広がって、図３に示すようにテーブル１０が開状態に展開される。このように、テーブル１０の開閉時において、操作部材４０の上下方向の移動は、天板２０の開閉方向への移動及び２枚の支持板３０の離接方向への移動として、天板２０及び支持板３０に伝達される。
【００３９】
以上説明した実施形態によれば、テーブル１０は、天板２０と、２枚の支持板３０と、操作部材４０と、を備える。天板２０は、板状に形成されている。また、天板２０は、直線状に形成された天板曲げ部２１を有し、天板曲げ部２１を支点に２つに折り曲げ可能となっている。支持板３０は、板状に形成されている。２枚の支持板３０は、相互に対向して配置されて、天板２０を支持している。操作部材４０は、天板２０における天板曲げ部２１の裏面側に設けられている。
【００４０】
天板２０は、天板曲げ部２１に対して一方側の領域つまり第１天板領域２０１の縁部が、２枚の支持板のうち一方の支持板３０の上端部つまり上面部３３に接続されている。また、天板２０は、天板曲げ部２１に対して他方側の領域つまり第２天板領域２０２の端部が２つの支持板３０のうち他方の支持板３０の上端部つまり上面部３３に接続されている。支持板３０は、接続部３２と第１曲げ部３５１とを有している。接続部３２は、天板曲げ部２１の両端部側つまり長辺Ａの両端部側に設けられており２枚の支持板３０を相互に接続している。第１曲げ部３５１は、接続部３２に沿って直線状に形成されている。
【００４１】
そして、テーブル１０は、操作部材４０が天板２０側へ押し込まれる力を受けると、天板２０が押し広げられて開くと共に２枚の支持板３０が第１曲げ部３５１を支点に谷折りに折り曲げられて、２枚の支持板３０が相互に離間する方向へ開いた開状態となる。これにより、天板２０が平坦なテーブル面を形成し、テーブル１０は、テーブルとしての機能を発揮可能となる。一方、テーブル１０は、操作部材４０が天板２０側とは反対方向へ引っ張られる力を受けると、天板２０が折り曲げられて閉じると共に２枚の支持板３０が第１曲げ部３５１を支点にした谷折りの折り曲げ状態が解消される。これにより、テーブル１０は、２枚の支持板３０が相互に近接する方向へ閉じた閉状態となる。
【００４２】
これによれば、テーブル１０は、図２等に示すように、折り畳んだ状態において略板状となるため、折り畳んだ状態でのサイズを極力小さくすることができ、その結果、収納性や携帯性を向上が図られる。
【００４３】
また、支持板３０は、折り曲げ可能に設けられた底面部３４を一体に有している。２枚の支持板３０において、各底面部３４は、連結部材３７を介して相互に折り曲げ可能に接続されると共に、２枚の支持板３０が開状態の場合に上方へ突出した湾曲状すなわちアーチ状になるように形成されている。操作部材４０は、底面部３４を貫いて下方へ突出していると共に、係止部４３を有している。係止部４３は、連結部材３７を介して実質的に底面部３４の内側面に係止可能となっている。
【００４４】
これによれば、開状態のテーブル１０において天板２０の上面に物が載置された場合に、天板２０の中央部分にかかる負荷は、まず、操作部材４０に伝わる。その際、操作部材４０の係止部４３は、連結部材３７を介して実質的に底面部３４の内側面に係止されるため、天板２０から操作部材４０に伝達された負荷は、係止部４３を介して連結部材３７及び底面部３４に伝わる。そして、操作部材４０から底面部３４に伝わった負荷は、湾曲状に形成された底面部３４を介し、両側の側面部３１へ向かって分散されて、各第２側面領域３１２の下端部に伝達される。このように、本実施形態によれば、天板２０の中央部分にかかる負荷を効率良く分散させることができる。したがって、テーブル１０の耐荷重性を向上させることができる。
【００４５】
２枚の支持板３０は、それぞれ２つの第２曲げ部３５２を有している。第２曲げ部３５２は、支持板３０の上端部から下端部に亘ってＳ字状に湾曲するように形成されている。テーブル１０は、開状態となった場合に、第２曲げ部３５２を支点に山折りに折り曲げられている。これによれば、開状態のテーブル１０の耐荷重を更に高めることができる。
【００４６】
すなわち、図９等に示すように、開状態の支持板３０において、第１側面領域３１１と、第１側面領域３１１の左右両側にある第２側面領域３１２とは、それぞれ第２曲げ部３５２を支点に山折りに折り曲げられている。そのため、第１側面領域３１１は、テーブル１０の水平方向の中央側に対して外側へ向かって膨らむように緩やかに湾曲している。一方、第２側面領域３１２と接続部３２とは、第１曲げ部３５１を支点に山折りに折り曲げられている。そのため、第２側面領域３１２は、テーブル１０の水平方向の中央側に向かって窪むように緩やかに湾曲している。このように、開状態のテーブル１０において、第１側面領域３１１と第２側面領域３１２とは、テーブル１０の水平方向の中央側に対して相互に異なった方向へ向かって緩やかに湾曲している。
【００４７】
ここで、例えば円柱と角柱とについて、垂直方向への耐荷重を比較した場合、角柱よりも円柱の方が、耐荷重が高いことが知られている。そのため、例えば側面部３１全体を円弧状に湾曲させることで、垂直方向の耐荷重性を向上させることができる。しかしこの場合、側面部３１全体を例えば単純な円弧形状にしただけでは、次のような問題がある。すなわち、単純な円弧形状の側面部のある点に対して、外側から水平方向への力が加わった場合、その水平方向の荷重の作用した部分が少しでも変形すると、その変形した部分に垂直方向の荷重が集中する。その結果、側面部は比較的簡単に座屈してしまう。
【００４８】
これに対し、本実施形態のテーブル１０は、開状態にすると、第２曲げ部３５２の作用により、第１側面領域３１１と第２側面領域３１２とが、図９等に示すように、相互に異なった方向へ向かって緩やかに湾曲する。この構成によれば、天板２０の周囲付近に作用した垂直方向への荷重は、第１側面領域３１１と第２側面領域３１２とに分散される。そのため、例えば第１側面領域３１１のある点に対して水平方向の荷重が作用しても、第２側面領域３１２で受けている垂直方向の荷重が、第１側面領域３１１における水平方向の荷重の作用点に集中し難くなる。同様に、例えば第２側面領域３１２のある点に対して水平方向の荷重が作用しても、第１側面領域３１１で受けている垂直方向の荷重が、第２側面領域３１２における水平方向の荷重の作用点に集中し難くなる。これにより、本実施形態によれば、側面部３１全体を単純な円弧状に形成した場合に比べて、耐荷重を高いものとすることができる。
【００４９】
第２曲げ部３５２の下端部には、天板２０を介して第１側面領域３１１に作用した負荷が集中し易い。そこで、各支持板３０は、第２曲げ部３５２の下端部に足部３８を有している。足部３８は、第２側面領域３１２の下端部と連続するように形成されている。そして、足部３８は、図５等に示すように、テーブル１０の開状態において、第２側面領域３１２の下端部と共に地面に接触する。これによれば、天板２０を介して第１側面領域３１１に作用した負荷を、足部３８によって受けることができるため、開状態のテーブル１０の安定性を向上させることができる。
【００５０】
この場合、足部３８は、テーブル１０の開状態において、第２曲げ部３５２の下端部よりも水平方向の外側へ突出している。これによれば、テーブル１０が多少傾いた場合であっても、足部３８によって支えることができる。その結果、開状態のテーブル１０の安定性を更に向上させることができる。
【００５１】
操作部材４０は、底面部３４を貫いて下方へ突出している。そのため、操作部材４０の下端部が、支持板３０の下端部よりも優先して地面に接触してしまうと、支持板３０の下端部が地面に接触し難くなり、テーブル１０の安定性が損なわれる。そこで、本実施形態では、図７等に示すように、開状態のテーブル１０において、操作部材４０の下端部の高さ位置は、支持板３０の下端部の高さ位置以下となるように設定されている。これによれば、支持板３０の下端部は、操作部材４０の下端部に比べて優先的に地面に接触する。したがって、開状態のテーブル１０の安定性を確保することができる。
【００５２】
また、操作部材４０は、取手部４４を有している。これによれば、使用者は、例えば閉状態のテーブル１０を、例えば図４に示す姿勢で取手部４４を持って運ぶことができる。したがって、テーブル１０の携帯性を更に向上させることができる。
【００５３】
また、操作部材４０の上端部は、天板２０の中央部分に接続されており、操作部材４０の下端部は、底面部３４を貫いて下方へ突出している。これによれば、この場合、操作部材４０の下端部は、テーブル１０の開状態において地面に接触可能となっている。これによれば、開状態のテーブル１０において、天板２０の周囲部分は支持板３０によって支持され、天板２０の中央部分は操作部材４０によって支持される。したがって、天板２０に作用する負荷を、支持板３０及び操作部材４０に分散して効率良く支持することができるため、テーブル１０の耐荷重性を更に向上させることができる。
【００５４】
なお、以上説明した本発明は、上記実施形態に限定されるものではなく、その要旨を逸脱しない範囲で種々の実施形態に適用可能である。
天板２０、支持板３０、及び操作部材４０は、それぞれポリプロピレン等の樹脂材料に限られず、例えばアルミニウム等の軽量金属や木材等であっても良い。この場合、各曲げ部２１、３５１〜３５５、例えばヒンジ等を設けることにより、板部材を折り曲げ可能に構成することができる。
また、各部材２０、３０、４０の接続は、締結具５０に限られず、例えば接着剤を用いた接着や、溶着等であっても良い。
【符号の説明】
【００５５】
図面中、１０は折り畳みテーブル、２０は天板、３０は支持板、３２は接続部、３４は底面部、３５１は第１曲げ部、３５２は第２曲げ部、３８は足部、４０は操作部材、４３は係止部を示す。
【要約】
【課題】収納性や携帯性の向上を図る。
【解決手段】折り畳みテーブルは、２つに折り曲げ可能な天板と、天板を支持する２枚の支持板と、天板の裏面側に設けられた操作部材と、を備える。各支持板は、天板曲げ部の両端部側に設けられ支持板を相互に接続する接続部と、接続部に沿って形成された第１曲げ部と、を有する。操作部材が天板側へ押し込まれる力を受けると天板が押し広げられて開くと共に２枚の支持板が第１曲げ部を支点に折り曲げられて２枚の支持板が相互に離間する方向へ開いた開状態となることにより天板が平坦なテーブル面を形成する。操作部材が天板側とは反対方向へ引っ張られる力を受けると天板が折り曲げられて閉じると共に２枚の支持板が第１曲げ部を支点にした折り曲げが解消されて相互に近接する方向へ閉じた閉状態となることにより天板が折り畳まれる。
【選択図】図１【図１】
0006006899.tif 000002
【図２】
0006006899.tif 000003
【図３】
0006006899.tif 000004
【図４】
0006006899.tif 000005
【図５】
0006006899.tif 000006
【図６】
0006006899.tif 000007
【図７】
0006006899.tif 000008
【図８】
0006006899.tif 000009
【図９】
0006006899.tif 000010
【図１０】
0006006899.tif 000011
【図１１】
0006006899.tif 000012
【図１２】
0006006899.tif 000013
【図１３】
0006006899.tif 000014
【図１４】
0006006899.tif 000015
【図１５】
0006006899.tif 000016